(57)【要約】【課題】フィルタ上のホコリを自動的に清掃するフィルタ清掃機能を有し、吸引排気装置のファン翼面と流通回路でのホコリ詰まりを防ぐことができ、あるいはホコリ詰まりに対して耐性を有する空気調和機を提供すること。【解決手段】フィルタ上のホコリを除去するホコリ除去手段と、前記ホコリ除去手段に接続される吸引排気装置を有し、前記吸引排気装置には、回転方向が変更できる（正回転、逆回転できる）モータで回転駆動される渦流ファンを有し、ホコリが詰まってファンロックした場合に前記モータの回転数を切替えることにより、ホコリ詰まりを防止する。【選択図】図３
2008111568.tif 000002
【特許請求の範囲】
【請求項１】
熱交換器と吸入グリルを設けた空気調和機において、前記熱交換器と前記吸入グリルとの間にフィルタを設け、前記フィルタに付着するホコリを除去するホコリ除去手段と、除去したホコリを吸引・排気する吸引排気装置を有し、前記吸引排気装置はモ−タと渦流ファンと前記渦流ファンを収納する略Ｕ字形のケ−シングとから成り、前記ケ−シングの吸い込み口を吸い込みダクトを介して前記ホコリ除去手段と繋ぎ、前記ケ−シングの吹き出し口を室外へ排気する排気ダクトに連通させ、前記モータを正逆転可能なモータとしたことを特徴とする空気調和機。
【請求項２】
前記渦流ファンは、正回転動作がファンロックにより不可能になった場合に、逆回転動作に切替えることを特徴とする請求項１記載の空気調和機。
【請求項３】
前記渦流ファンの回転方向を切替える場合、ファンの回転を一度停止した後に回転方向を切り替え、駆動することを特徴とする請求項１〜２のいずれかに記載の空気調和機。
【請求項４】
前記渦流ファンの回転方向を切替える場合、ファンの回転を一度停止した後、一定時間の経過後に回転方向を切替え、駆動することを特徴とする請求項１〜３のいずれかに記載の空気調和機。
【請求項５】
前記渦流ファンの回転方向を切替える場合、切替え前のファンの駆動を一度停止した後、惰性で回転するファンの回転数が所定回転数を下回った後に回転方向を切替え、駆動することを特徴とする請求項１〜４のいずれかに記載の空気調和機。
【発明の詳細な説明】
【技術分野】
【０００１】
本発明は、フィルタ上のホコリを自動的に清掃するフィルタ清掃機能を有する空気調和機に関する。
【背景技術】
【０００２】
従来のこの種の技術としては、図５のように、移動可能な吸い込みノズルをフィルタの風上側に配し、さらに前記吸い込みノズルからのホコリを吸引・排気する吸引排気装置を配し、この吸引排気装置はモ−タを内蔵した渦流ファンと前記渦流ファンを囲むケ−シングとから形成し、前記ケ−シングの吸い込み口を前記吸い込みノズルに連通する吸い込みダクトと繋ぎ、前記ケ−シングの吹き出し口を室外へ排気する排気ダクトに連通させてホコリを排出できるようにしている。（例えば未公開自社出願の特願２００６−１２５５３２号参照）
【発明の開示】
【発明が解決しようとする課題】
【０００３】
しかしながら、前記従来の構成は、以下のような課題を有していた。
上記従来構成では、渦流ファンを用いることにより、ファン内部翼間を流れが通過することが少なく、ファンの回転にともなうようにファン周辺部を流れが通過するのみで、流れとファンの相対速度も小さいことから、ファンへのホコリ堆積が少ない形態になっている。しかしながら渦流ファンの風の流れは上記に記載したようにファンの周辺部を回転方向へと通過するため吸引口と排出口が同一流通回路に存在し、その間をシールする必要がある。しかしファンが回転体であるため完全なシールは不可能であり、翼面と流通回路間の空間距離を極力少なく設定しシールする必要がある。ホコリの除去に渦流ファンを使用する場合、ファンへのホコリ堆積は少ないが、シール部分の流通回路が狭いためホコリが堆積し、その状態が継続されるとシール部分にホコリ詰まりが発生することになる。
【０００４】
本発明は、前記従来の課題を解決するもので、フィルタ上のホコリを自動的に清掃するフィルタ清掃機能を有し、その吸引排気装置のファン翼面と流通回路でのホコリ詰まりを防いだ空気調和機を提供することを目的とする。
【課題を解決するための手段】
【０００５】
前記従来の課題を解決するために、熱交換器と吸入グリルを設けた空気調和機において、前記熱交換器と前記吸入グリルとの間にフィルタを設け、前記フィルタに付着するホコリを除去するホコリ除去手段と、除去したホコリを吸引・排気する吸引排気装置を有し、前記吸引排気装置はモ−タと渦流ファンと前記渦流ファンを収納する略Ｕ字形のケ−シングとから成り、前記ケ−シングの吸い込み口を吸い込みダクトを介して前記ホコリ除去手段と繋ぎ、前記ケ−シングの吹き出し口を室外へ排気する排気ダクトに連通させ、前記モータを正逆転可能なモータとしたものである。
【０００６】
上記の構成にすることにより略Ｕ字形のケ−シング内のシール部分にホコリが詰まった場合に、渦流ファンを逆回転することによりシール部分からホコリを掻き出すことが可能となる。
【発明の効果】
【０００７】
本発明は、空気調和機に係わり、フィルタ上のごみを自動的に清掃するフィルタ清掃機能に関し、吸引排気装置のホコリ詰まりを防いだ空気調和機を提供することができる。
【発明を実施するための最良の形態】
【０００８】
第１の発明は、熱交換器と吸入グリルを設けた空気調和機において、前記熱交換器と前記吸入グリルとの間にフィルタを設け、前記フィルタに付着するホコリを除去するホコリ除去手段と、除去したホコリを吸引・排気する吸引排気装置を有し、前記吸引排気装置はモ−タと渦流ファンと前記渦流ファンを収納する略Ｕ字形のケ−シングとから成り、前記ケ−シングの吸い込み口を吸い込みダクトを介して前記ホコリ除去手段と繋ぎ、前記ケ−シングの吹き出し口を室外へ排気する排気ダクトに連通させ、前記モータを正逆転可能なモータとしたことにより、渦流ファンの回転方向を正回転、逆回転変更することが可能となるように構成し、略Ｕ字形のケ−シング内のシール部にホコリが詰まった場合に、渦流ファンを逆回転することによりシール部分からホコリを掻き出すことが可能となる。
【０００９】
この結果、排気装置のホコリ詰まりを防いだ排気換気可能なフィルタ清掃装置が実現できる。
【００１０】
以下、本発明の実施の形態について、図面を参照しながら説明する。なお、この実施の形態によって本発明が限定されるものではない。
【００１１】
（実施の形態１）
図１は、本発明の実施の形態における空気調和機の断面図、図２は同斜視図、図３は吸引排気装置の斜視図、図４は渦流ファンの詳細説明図である。
【００１２】
空気調和機の室内機１の内部に熱交換器２と本体送風ファン３を有し、室内機１のフィルタ４に付着するホコリを吸引し、フィルタ４の左右に動く吸い込みノズル５をフィルタ４の風上側に配し、さらにホコリを吸引・排気する吸引排気装置６を室内機１の側面に配置している。
【００１３】
また、吸い込みノズル５と吸引排気装置６は吸い込みダクト７で繋がれ、吸引排気装置６から屋外につながる排気ダクト８がある。
【００１４】
吸引排気装置６は、空気を流入させる吸入口９と空気を流出させる排出口１０を備えた略Ｕ字形のケーシング１１と、流入した空気を搬送昇圧する複数枚の羽根を有する渦流ファン１２と、その渦流ファンを回転させるモータ１９、前記吸入口９と排出口１０を隔離するシール部１３から形成されている。
【００１５】
また、吸入口９が吸い込みダクト７に接続され、排出口１０が排気ダクト８に接続される。
【００１６】
次に、動作について説明する。
【００１７】
吸引排気装置６が運転すると、フィルタ４上のホコリは、フィルタ４の上流側にある吸い込みノズル５のフィルタ４側に面して開いた吸引口５１を通って、吸い込みノズル５内に吸い込まれ、以後、吸い込みダクト７を通って、吸入口９から吸引排気装置６内に吸い込まれる。
【００１８】
その後、ホコリは吸引排気装置６内で、渦流ファン１２の回転で昇圧され、排出口１０から排気ダクト８を通って屋外に排出される。
吸い込みノズル５はフィルタ４に沿って、左右に動き、フィルタ４の全面を清掃することができる。
【００１９】
ダンパ機構１６を設けた開口部１７は、上記のホコリ吸引排出時は閉じており、上記の
ようなホコリの流れ経路を形成する。換気時には、ダンパ機構１６により、開口部１７は開き、ここから、大量の空気を流入することにより、換気風量を増やすことができる。
【００２０】
次に渦流ファン１２の動作について説明する。
【００２１】
すなわち、図４において、前記吸入口９から流入した空気は、前記ケーシング１１内の流路１５に沿って流れる間に、複数枚の羽根１４を有する渦流ファン１２の作用で徐々に昇圧され、前記排出口１０から排出される。
【００２２】
このような渦流ファン１２において、ホコリが図のように吸入口９から流入した場合、空気より重いホコリは遠心力により、流路１５の外側に沿って流れ、一部のホコリが排出口１０から排出されず、風の流れに沿ってシール部１３に到達する。前記シール部１３は前記吸入口９と排出口１０を隔離するために、ファン翼面とケーシング１１の間隔が狭く設定されているためホコリが体積し、シール部１３でホコリ詰まりが発生する場合がある。
【００２３】
この場合にモータ１９の回転方向を変更し渦流ファン１２の回転方向を逆回転することで、シール部１３に詰まったホコリを掻き出すことが可能である。
【００２４】
以上の様なホコリ詰まり時の渦流ファン１２の逆回転動作は、ホコリ詰まりにより渦流ファン１２が正回転動作を行うことが不可能、つまりはファンロック状態になった場合行うことが必要であり、モータ１９が異常電流等により動作異常となった場合に逆回転動作させるものである。
【００２５】
この様なモータ１９の回転方向の変更を行うには、モータ１９を３相モータにすると容易に可能となる。
【００２６】
また、この回転方向の変更の際には、モータ１９に逆起電流が発生するため、モータ１９の電気的破壊をなくすために保護動作を行うことが望ましい。モータ１９の回転を一旦停止した後にモータ１９の逆転駆動を行う。または、モータ１９の回転を一旦停止しし惰性で回転中、破壊に至らない逆起電流となる回転数まで回転数が低下する時間が経過した後にモータ１９の逆転駆動を行う。またモータ１９の回転数制御を常時検知しながら行うものにおいては、破壊に至らない逆起電流となる回転数まで回転数が低下した後にモータ１９の逆転駆動を行うといった保護動作を行う。
【産業上の利用可能性】
【００２７】
以上のように、本発明にかかる空気調和機は、少なくとも熱交換器と吸入グリルを設けた空気調和機の室内機内部において、前記熱交換器と前記吸入グリルとの間にフィルタを設け、前記フィルタに付着するホコリを吸引し、移動可能な吸い込みノズルを前記フィルタの風上側に配し、さらに前記吸い込みノズルからのホコリを吸引・排気する前記吸引排気装置を配した空気調和機であって、前記吸引排気装置はモ−タと渦流ファンと前記渦流ファンを収納する略Ｕ字形のケ−シングとから形成し、前記ケーシングの吸入口を吸い込みダクトを通じて前記ホコリ除去手段と繋ぎ、前記ケ−シングの排出口を室外へ排気する排気ダクトに連通させてホコリを排出できるように構成し、前記モータを回転方向が変更可能なモータにすることにより、渦流ファンの回転方向を正回転、逆回転変更することが可能となるように構成したものである。
【００２８】
上記の構成にすることにより略Ｕ字形のケ−シング内のシール部分にホコリが詰まった場合に、渦流ファンを逆回転することによりシール部分からホコリを掻き出すことが可能となり、空気調和機の室内機以外に、送風機とフィルタを有する装置一般における、フィ
ルタ清掃装置にも広く適用できる。
【図面の簡単な説明】
【００２９】
【図１】本発明の実施の形態における空気調和機の断面図
【図２】本発明の実施の形態における空気調和機の斜視図
【図３】本発明の実施の形態における吸引排気装置の斜視図
【図４】本発明の実施の形態における渦流ファンの流れ説明図
【図５】従来の吸引排気装置の平面図
【符号の説明】
【００３０】
１  空気調和機室内機
２  熱交換器
３  本体送風ファン
４  フィルタ
５  吸い込みノズル
６  吸引排気装置
７  吸い込みダクト
８  排気ダクト
９  吸入口
１０  排出口
１１  ケーシング
１２  渦流ファン
１３  ストリッパ部
１４  羽根
１５  流路
１６  ダンパ機構
１７  開口部
１９  モータ
５１  吸引口
１１４  シロッコファン
１１５  ケーシング
【図１】
2008111568.tif 000003
【図２】
2008111568.tif 000004
【図３】
2008111568.tif 000005
【図４】
2008111568.tif 000006
【図５】
2008111568.tif 000007